【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
冷媒吸入口（２１２）から吸入した冷媒を圧縮して冷媒吐出口（２１３）から吐出する電動圧縮機（２１０）と、
前記電動圧縮機（２１０）の前記冷媒吸入口（２１２）から吸入された前記冷媒によって冷却されるように前記電動圧縮機（２１０）に一体化されていると共に、制御信号に従って前記電動圧縮機（２１０）を動作させる駆動部（２２０）と、
前記駆動部（２２０）の温度を検出する温度検出部（２２６）と、
前記制御信号を前記駆動部（２２０）に出力して前記駆動部（２２０）を制御する制御部（３００）と、を備え、
前記制御部（３００）は、前記温度検出部（２２６）によって検出された温度が予め定められた基準温度（Ｔａ１）よりも低い場合、前記電動圧縮機（２１０）の自己冷却量を低下させる制御、及び、前記駆動部（２２０）の自己発熱量を上昇させる制御のうちのいずれか一方または両方を前記駆動部（２２０）に対して行うようになっており、
前記制御部（３００）は、前記電動圧縮機（２１０）の自己冷却量を低下させる制御として、前記電動圧縮機（２１０）の回転が減速するように前記駆動部（２２０）を制御する空調装置。
【請求項２】
冷媒吸入口（２１２）から吸入した冷媒を圧縮して冷媒吐出口（２１３）から吐出する電動圧縮機（２１０）と、
前記電動圧縮機（２１０）の前記冷媒吸入口（２１２）から吸入された前記冷媒によって冷却されるように前記電動圧縮機（２１０）に一体化されていると共に、制御信号に従って前記電動圧縮機（２１０）を動作させる駆動部（２２０）と、
前記駆動部（２２０）の温度を検出する温度検出部（２２６）と、
前記制御信号を前記駆動部（２２０）に出力して前記駆動部（２２０）を制御する制御部（３００）と、を備え、
前記制御部（３００）は、前記温度検出部（２２６）によって検出された温度が予め定められた基準温度（Ｔａ１）よりも低い場合、前記電動圧縮機（２１０）の自己冷却量を低下させる制御、及び、前記駆動部（２２０）の自己発熱量を上昇させる制御のうちのいずれか一方または両方を前記駆動部（２２０）に対して行うようになっており、
前記制御部（３００）は、前記電動圧縮機（２１０）の自己冷却量を低下させる制御として、外部装置から前記電動圧縮機（２１０）を停止させる停止信号を入力したとき、前記電動圧縮機（２１０）の回転が緩やかに停止するように前記駆動部（２２０）を制御する空調装置。
【請求項３】
電動モータを備え、前記電動モータの回転に応じて冷媒吸入口（２１２）から吸入した冷媒を圧縮して冷媒吐出口（２１３）から吐出する電動圧縮機（２１０）と、
前記電動圧縮機（２１０）の前記冷媒吸入口（２１２）から吸入された前記冷媒によって冷却されるように前記電動圧縮機（２１０）に一体化され、前記電動モータの回転を制御する駆動部（２２０）と、
前記駆動部（２２０）に制御信号を出力して前記駆動部（２２０）を制御する制御部（３００）と、
前記駆動部（２２０）の温度を検出する温度検出部（２２６）と、を備え、
前記制御部（３００）は、前記温度検出部（２２６）によって検出された温度が予め定められた基準温度（Ｔａ１）よりも低い場合、前記電動圧縮機（２１０）の自己冷却量を低下させる制御、及び、前記駆動部（２２０）の自己発熱量を上昇させる制御のうちのいずれか一方または両方を前記駆動部（２２０）に対して行うようになっており、
前記制御部（３００）は、前記電動圧縮機（２１０）の自己冷却量を低下させる制御として、前記電動圧縮機（２１０）の回転が減速するように前記駆動部（２２０）を制御する空調装置。
【請求項４】
電動モータを備え、前記電動モータの回転に応じて冷媒吸入口（２１２）から吸入した冷媒を圧縮して冷媒吐出口（２１３）から吐出する電動圧縮機（２１０）と、
前記電動圧縮機（２１０）の前記冷媒吸入口（２１２）から吸入された前記冷媒によって冷却されるように前記電動圧縮機（２１０）に一体化され、前記電動モータの回転を制御する駆動部（２２０）と、
前記駆動部（２２０）に制御信号を出力して前記駆動部（２２０）を制御する制御部（３００）と、
前記駆動部（２２０）の温度を検出する温度検出部（２２６）と、を備え、
前記制御部（３００）は、前記温度検出部（２２６）によって検出された温度が予め定められた基準温度（Ｔａ１）よりも低い場合、前記電動圧縮機（２１０）の自己冷却量を低下させる制御、及び、前記駆動部（２２０）の自己発熱量を上昇させる制御のうちのいずれか一方または両方を前記駆動部（２２０）に対して行うようになっており、
前記制御部（３００）は、前記電動圧縮機（２１０）の自己冷却量を低下させる制御として、外部装置から前記電動圧縮機（２１０）を停止させる停止信号を入力したとき、前記電動圧縮機（２１０）の回転が緩やかに停止するように前記駆動部（２２０）を制御する空調装置。
【請求項５】
前記制御部（３００）は、前記電動モータの回転を減速させて前記冷媒吸入口（２１２）を介して吸入される冷媒の流量が低減するよう前記駆動部（２２０）を制御する請求項３または４に記載の空調装置。
【請求項６】
前記駆動部（２２０）は、前記電動圧縮機（２１０）を駆動するためのパワー素子（２２４）を有しており、
前記制御部（３００）は、前記駆動部（２２０）の自己発熱量を上昇させる制御として、前記パワー素子（２２４）のスイッチング速度が上昇するように前記駆動部（２２０）を駆動させる請求項１ないし５のいずれか１つに記載の空調装置。
【請求項７】
前記駆動部（２２０）は、前記電動圧縮機（２１０）を駆動するためのパワー素子（２２４）を有しており、
前記制御部（３００）は、前記駆動部（２２０）の自己発熱量を上昇させる制御として、外部装置から前記電動圧縮機（２１０）を停止させる停止信号を入力したとき、前記電動圧縮機（２１０）が回転しないように前記パワー素子（２２４）を動作させて前記パワー素子（２２４）を発熱させる請求項１ないし６のいずれか１つに記載の空調装置。
【請求項８】
前記駆動部（２２０）はインバータであり、前記制御部は、前記インバータに一体的に設けられている請求項１ないし７のいずれか１つに記載の空調装置。
【手続補正２】
【補正対象書類名】明細書
【補正対象項目名】０００８
【補正方法】変更
【補正の内容】
【０００８】
上記目的を達成するため、請求項１に記載の発明では、空調装置は、冷媒吸入口（２１２）から吸入した冷媒を圧縮して冷媒吐出口（２１３）から吐出するように構成された電動圧縮機（２１０）を備えている。
【手続補正３】
【補正対象書類名】明細書
【補正対象項目名】０００９
【補正方法】変更
【補正の内容】
【０００９】
また、空調装置は、電動圧縮機（２１０）の冷媒吸入口（２１２）から吸入された冷媒によって冷却されるように電動圧縮機（２１０）に一体化されていると共に、制御信号に従って電動圧縮機（２１０）を動作させる駆動部（２２０）を備えている。
さらに、空調装置は、駆動部（２２０）の温度を検出する温度検出部（２２６）と、制御信号を駆動部（２２０）に出力して駆動部（２２０）を制御する制御部（３００）と、を備えている。
【手続補正４】
【補正対象書類名】明細書
【補正対象項目名】００１０
【補正方法】変更
【補正の内容】
【００１０】
そして、制御部（３００）は、温度検出部（２２６）によって検出された温度が予め定められた基準温度（Ｔａ１）よりも低い場合、電動圧縮機（２１０）の自己冷却量を低下させる制御、及び、駆動部（２２０）の自己発熱量を上昇させる制御のうちのいずれか一方または両方を駆動部（２２０）に対して行うようになっており、制御部（３００）は、電動圧縮機（２１０）の自己冷却量を低下させる制御として、電動圧縮機（２１０）の回転が減速するように駆動部（２２０）を制御する。
請求項２に記載の発明では、請求項１に記載の発明に対し、制御部（３００）は、電動圧縮機（２１０）の自己冷却量を低下させる制御として、外部装置から電動圧縮機（２１０）を停止させる停止信号を入力したとき、電動圧縮機（２１０）の回転が緩やかに停止するように駆動部（２２０）を制御する。
請求項３に記載の発明では、空調装置は、電動モータを備え、電動モータの回転に応じて冷媒吸入口（２１２）から吸入した冷媒を圧縮して冷媒吐出口（２１３）から吐出する電動圧縮機（２１０）を備えている。
また、空調装置は、電動圧縮機（２１０）の冷媒吸入口（２１２）から吸入された冷媒によって冷却されるように電動圧縮機（２１０）に一体化され、電動モータの回転を制御する駆動部（２２０）を備えている。
さらに、空調装置は、駆動部（２２０）に制御信号を出力して駆動部（２２０）を制御する制御部（３００）と、駆動部（２２０）の温度を検出する温度検出部（２２６）と、を備えている。
そして、制御部（３００）は、温度検出部（２２６）によって検出された温度が予め定められた基準温度（Ｔａ１）よりも低い場合、電動圧縮機（２１０）の自己冷却量を低下させる制御、及び、駆動部（２２０）の自己発熱量を上昇させる制御のうちのいずれか一方または両方を駆動部（２２０）に対して行うようになっており、制御部（３００）は、電動圧縮機（２１０）の自己冷却量を低下させる制御として、電動圧縮機（２１０）の回転が減速するように駆動部（２２０）を制御する。
請求項４に記載の発明では、請求項３に記載の発明に対し、制御部（３００）は、電動圧縮機（２１０）の自己冷却量を低下させる制御として、外部装置から電動圧縮機（２１０）を停止させる停止信号を入力したとき、電動圧縮機（２１０）の回転が緩やかに停止するように駆動部（２２０）を制御する。
【手続補正５】
【補正対象書類名】明細書
【補正対象項目名】００１１
【補正方法】変更
【補正の内容】
【００１１】
これによると、電動圧縮機（２１０）の自己冷却量が低下するので、駆動部（２２０）が冷媒によって冷やされすぎないようにすることができる。また、駆動部（２２０）の自己発熱量が上昇するので、駆動部（２２０）自身の温度を上昇させることができる。このため、低温環境下において、電動圧縮機（２１０）の過冷却によって駆動部（２２０）を構成する電子部品が最低保証温度を下回ることを回避することができる。したがって、駆動部（２２０）の破壊を防止することができる。
【手続補正６】
【補正対象書類名】明細書
【補正対象項目名】００８３
【補正方法】変更
【補正の内容】
【００８３】
なお、本実施形態の記載と特許請求の範囲の記載との対応関係については、温度検出素子２２６が特許請求の範囲の「温度検出部」に対応し、エアコン制御ＥＣＵ３００が特許請求の範囲の「制御部」に対応する。また、操作パネルや他のＥＣＵ等の機器が特許請求の範囲の「外部装置」に対応する。さらに、第１基準温度（Ｔａ１）が特許請求の範囲の「基準温度」に対応する。
【手続補正７】
【補正対象書類名】明細書
【補正対象項目名】００８４
【補正方法】変更
【補正の内容】
【００８４】
また、制御信号に従って電動圧縮機２１０の電動モータを回転させる部品であるパワー素子２２４や回路基板２２５を備えたインバータ２２０が特許請求の範囲の「駆動部」に対応する。
【手続補正８】
【補正対象書類名】明細書
【補正対象項目名】００９３
【補正方法】変更
【補正の内容】
【００９３】
上記の実施形態では、エアコン制御ＥＣＵ３００が、低温環境制御Ａと低温環境制御Ｂの実施、及び実施要否判定を行っていたが、インバータ２２０自身がこれらを実施しても良い。インバータ２２０は、制御手段であるマイクロコンピュータを含んで構成されているので、エアコン制御ＥＣＵ３００と同じ制御を実施することができる。
【手続補正９】
【補正対象書類名】明細書
【補正対象項目名】００９５
【補正方法】変更
【補正の内容】
【００９５】
２１０  電動圧縮機
２１２  冷媒吸入口
２１３  冷媒吐出口
２２０  インバータ（駆動部）
２２６  温度検出素子（温度検出部）
３００  エアコン制御ＥＣＵ（制御部）